(57)【要約】【課題】  本体が向く方位または傾きの時間的変化を捉えて各種機能を実行させることができる携帯端末機を提供する。【解決手段】  携帯電話機１が向く方位または傾きを変える動作をし、地磁気センサ９０の出力値を単位時間毎に取り込み、特徴を抽出してモーションデータとしてＲＡＭ６０に記憶するとともに、実行すべき機能を割り当てる。携帯電話機１が向く方位または傾きを変える動作をすると、地磁気センサ９０の出力値の時系列データから特徴を抽出して機能が割り当てられたモーションデータと比較し、合致したときに割り当てられた機能を実行する。【選択図】  図１
2006128789.tif 000002
【特許請求の範囲】
【請求項１】
本体が向く方位または傾きを捉えるセンサと、
前記センサが捉えた方位または傾きの時間的な変化から特徴を抽出し、モーションデータとして記憶する記憶手段と、
所定のモーションデータに対して実行すべき機能が設定されている設定記憶手段と、
前記本体が方位または傾きを変える動作をすると、該動作によって取得されたモーションデータと、前記設定記憶手段に設定されているモーションデータとを比較する比較手段と、
前記比較手段による比較結果に応じて、前記設定されている機能を実行する制御手段と、
を具備することを特徴とする携帯端末機。
【請求項２】
前記モーションデータに対して実行すべき機能を割り当てて前記設定記憶手段に記憶させる割り当て手段を具備することを特徴とする請求項１に記載の携帯端末機。
【請求項３】
所定軸方向の磁界の強度を検出する地磁気センサと、
本体の向きを変える動作によって前記地磁気センサが検出した磁界の強度の時間的な変化から特徴を抽出する特徴抽出手段と、
前記抽出された特徴をモーションデータとして記憶する記憶手段と、
所定のモーションデータに対して実行すべき機能が設定されている設定記憶手段と、
本体が向きを変える動作をすると、該動作によって取得されたモーションデータと、前記設定記憶手段に設定されているモーションデータとを比較する比較手段と、
前記比較手段による比較結果に応じて、前記設定されている機能を実行する制御手段と、
を具備することを特徴とする携帯端末機。
【請求項４】
前記モーションデータに対して実行すべき機能を割り当てて前記設定記憶手段に記憶させる割り当て手段を具備することを特徴とする請求項３に記載の携帯端末機。
【請求項５】
前記特徴抽出手段は本体の傾きの変化を特徴として抽出することを特徴とする請求項３または４に記載の携帯端末機。
【発明の詳細な説明】
【技術分野】
【０００１】
この発明は、本体が向く方位または傾きの時間的変化を検出して予め割り当てられた機能を実行する携帯端末機に関する。
【背景技術】
【０００２】
携帯電話機は表示画面を見ながらボタン操作を行い、各種機能を利用する。これらを利用する上で頻繁に使用される定型的な操作がある。例えば、電源をオンする、メニューを表示する、画面表示に対して「はい」、「いいえ」、「戻る」を選択する等のボタン操作である。これらは通常ファンクションボタンに割り当てられていて、画面上にはＨＥＬＰとしてどのボタンでどの機能が実行されるのか表示されている。
しかし、携帯電話機の多機能化により、どのボタンでどの機能が実行できるのか分かりにくく、ユーザが希望する機能を実行するまでに数回のボタン操作が必要なこともある。また、携帯電話機の機種が変わるとボタン操作も異なり、新たにボタン操作を覚える必要があるため使いにくい。
ボタン操作を行わずに携帯電話機の操作ができるものとして、特許文献１に記載されているように、着信があった際に携帯電話機が一定角度以上の傾きになったことを検知するとオフフックする携帯電話機が知られている。
【特許文献１】特開2003-198670号公報
【発明の開示】
【発明が解決しようとする課題】
【０００３】
しかし、特許文献１に記載の携帯電話機は、本体の動きの途中経過に関係なく、ある状態になったときに機能を実行するものであるので、割り当てられる機能の数がごく限られる。
この発明は、上記の点に鑑みてなされたものであり、その目的は、本体が向く方位または傾きの時間的変化を捉えて各種機能を実行させることができる携帯端末機を提供することである。
【課題を解決するための手段】
【０００４】
この発明は上記の課題を解決するためになされたもので、請求項１に記載の発明は、本体が向く方位または傾きを捉えるセンサと、前記センサが捉えた方位または傾きの時間的な変化から特徴を抽出し、モーションデータとして記憶する記憶手段と、所定のモーションデータに対して実行すべき機能が設定されている設定記憶手段と、前記本体が方位または傾きを変える動作をすると、該動作によって取得されたモーションデータと、前記設定記憶手段に設定されているモーションデータとを比較する比較手段と、前記比較手段による比較結果に応じて、前記設定されている機能を実行する制御手段と、を具備することを特徴とする携帯端末機である。
【０００５】
請求項２に記載の発明は、請求項１に記載の携帯端末機において、前記モーションデータに対して実行すべき機能を割り当てて前記設定記憶手段に記憶させる割り当て手段を具備することを特徴とする。
【０００６】
請求項３に記載の発明は、所定軸方向の磁界の強度を検出する地磁気センサと、本体の向きを変える動作によって前記地磁気センサが検出した磁界の強度の時間的な変化から特徴を抽出する特徴抽出手段と、前記抽出された特徴をモーションデータとして記憶する記憶手段と、所定のモーションデータに対して実行すべき機能が設定されている設定記憶手段と、本体が向きを変える動作をすると、該動作によって取得されたモーションデータと、前記設定記憶手段に設定されているモーションデータとを比較する比較手段と、前記比較手段による比較結果に応じて、前記設定されている機能を実行する制御手段と、を具備することを特徴とする携帯端末機である。
【０００７】
請求項４に記載の発明は、請求項３に記載の携帯端末機において、前記モーションデータに対して実行すべき機能を割り当てて前記設定記憶手段に記憶させる割り当て手段を具備することを特徴とする。
【０００８】
請求項５に記載の発明は、請求項３または４に記載の携帯端末機において、前記特徴抽出手段は本体の傾きの変化を特徴として抽出することを特徴とする。
【発明の効果】
【０００９】
この発明によれば、携帯端末機に予め記憶させた通りに本体を動かすだけで、携帯端末機のボタン操作を行わずに操作ができ、携帯端末機の様々な機能を実行することができる。また、機種が違うためボタン操作が異なる携帯端末機であっても、同じ動作に同じ操作または機能を割り当てることによって、使い慣れた動作で使い続けることができる。
【発明を実施するための最良の形態】
【００１０】
以下、図面を参照し、この発明の実施の形態について説明する。
図１はこの発明の一実施の形態による携帯電話機１の構成を示す図である。操作部１０は、通話先の電話番号を入力するためのテンキー、及び、電源のオン、オフ、オフフック、オンフック等の各種操作を行うためのファンクションキーからなる。さらに操作部１０は、携帯電話機１の動きを検知するモードを選択するためのボタン、及び、モーションキャプチャのスタートとストップを指示するためのボタンを備える。
アンテナ２１は、無線基地局との間で電波信号の送受信を行う。
通信部２０は、アンテナ２１を介して受信した高周波信号を復調し、復調によって得られた音声信号については音声処理部３０へ出力し、文字データ、記号データ等についてはバスライン１００を介してＣＰＵ４０へ出力する。また、この通信部２０は、ＣＰＵ４０から供給される文字データ等及び音声処理部３０から出力される音声信号によって高周波の搬送波を変調しアンテナ２１から発信する。
音声処理部３０は、マイク３１から入力されるアナログの音声信号をデジタル信号に変換し、圧縮して通信部２０へ出力し、また、通信部２０から入力されるデジタルの音声信号を伸張し、アナログの音声信号に変換して通話用スピーカ３２へ出力する。
【００１１】
ＣＰＵ（中央処理装置）４０は、ＲＯＭ（リードオンリメモリ）５０に記憶されたプログラムに従って各部を制御する。ＲＡＭ（ランダムアクセスメモリ）６０は、ＣＰＵ４０の処理においてデータが一時的に記憶される。また、ＲＡＭ６０には、後述するように、携帯電話機１の動きと実行される機能の対応関係を記憶するモーションメモリが設けられている。
表示部７０は、ＣＰＵ４０から入力する表示用の信号に基づいて画像、文字等を表示する。
音源部８０は、ＣＰＵ４０から着信音発生の指示を受け、着信音信号を生成し、スピーカ８１へ出力するものである。
【００１２】
地磁気センサ９０は、所定軸における磁界の強度を検出する。図２は、地磁気センサ９０の構成を示す。地磁気センサ９０は携帯電話機１の本体に対して作用する地磁気の磁界の強度をＸ、Ｙ、Ｚ軸の各方向に対して測定し、携帯電話機１が向く方位や地表面に対する傾きを検出することができる。Ｘ軸センサ９１、Ｙ軸センサ９２、Ｚ軸センサ９３は、それぞれＧＭＲ素子（巨大磁気抵抗効果素子）からなるセンサであり、Ｘ軸センサ９１の出力はＸ軸方向の磁界の強さに比例した値を出力する。同様に、Ｙ軸センサ９２はＹ軸方向、Ｚ軸センサ９３はＺ軸方向の磁界の強さに比例した値を出力する。
ここで携帯電話機１に組み込まれた地磁気センサ９０のＸ軸方向、Ｙ軸方向、Ｚ軸方向とは図５及び図６に示す座標軸の方向である。すなわち、ユーザが自分の正面に携帯電話機１を立てて持ったとき、左から右へ向かう方向がＸ軸方向、手前から奥へ向かう方向がＹ軸方向、下から上へ向かう方向がＺ軸方向である。磁界の向きがこれらと反対の場合は、センサの出力はマイナスの値となる。
【００１３】
地磁気センサ９０が出力する値を例示すると次のようになる。図５において、ユーザは西に向かって立ち、自分の正面に携帯電話機１を立てて持っているものとする。このとき、ユーザの左が南、右が北となる。地磁気の磁界の方向は、南極から北極の方向、図５の座標軸ではＸ軸方向である。このときＸ軸センサ９１が出力する値を仮に１０とする。Ｙ軸方向、Ｚ軸方向の磁界の成分はないので、Ｙ軸センサ９２、Ｚ軸センサ９３が出力する値はともに０である。ユーザが、この例とは反対向きで、東に向かって立っているものとした場合は、ユーザの左が北、右が南となる。地磁気の磁界の方向は、南極から北極の方向、図５の座標軸ではＸ軸方向と反対の方向に向かうので、Ｘ軸センサ９１が出力する値は−１０となる。Ｙ軸センサ９２、Ｚ軸センサ９３が出力する値は上記と同様にともに０である。
【００１４】
図２に戻り、Ｘ軸センサ９１、Ｙ軸センサ９２、Ｚ軸センサ９３それぞれの出力は、切換器９４によって一定周期で切り換えられ、増幅器９５で増幅され、Ａ／Ｄ変換器９６によってデジタル信号に変換され、インターフェース部９７からバスライン１００を介して図１のＣＰＵ４０に取り込まれる。
【００１５】
次に上述した携帯電話機１の動作を説明する。まず、図３を参照し、ユーザが携帯電話機１を動かしてモーションデータを生成し、これに対して実行すべき機能を割り当てる場合の動作を説明する。
図５及び図６は携帯電話機１の動かし方の例である。図５は携帯電話機１を左にひと振りする動作、及び、右にひと振りする動作を表す。図６は携帯電話機１を前後に１回振る動作を表す。
ここでは、ユーザは西に向かって立ち、図５のように自分の正面に携帯電話機１を立てて持ち、左にひと振りする動作、つまり、携帯電話機１を左に傾けてからもとに戻す動作をモーションキャプチャし、この動作が行われたときに携帯電話機１をオフフックする操作を割り当てる場合を例に説明する。
【００１６】
図３の処理に入る前に、まず、ユーザは携帯電話機１の動きを検知する検知モードとして「方位モード」か「傾きモード」のいずれかを選択する。「方位モード」は方位も含めてモーションデータの合致を判定するのに対し、「傾きモード」は方位に関係なく地表面に対する傾きのみでモーションデータの合致を判定する。ここでは「方位モード」を選択する。
次に、ユーザは携帯電話機１が向く方位を合わせる。ここでユーザは携帯電話機１を西に向ける。
次に、ユーザはモーションキャプチャを行う。図３を参照してこのときの処理を説明する。ユーザが携帯電話機１の操作部１０のキャプチャスタートボタンを押すと、ステップＳ１１の判定が「Ｙｅｓ」となり、ステップＳ１２に進む。キャプチャスタートボタンが押されなければ判定が「Ｎｏ」となり、ステップＳ１１に戻る。
【００１７】
ステップＳ１２において、ＣＰＵ４０は、単位時間毎に地磁気センサ９０の出力を取り込む。単位時間は携帯電話機１に予め設定する。ここで、キャプチャスタートから単位時間経過毎に検知したＸ軸センサ９１の出力をＸ（ｔ）、Ｙ軸センサ９２の出力をＹ（ｔ）、Ｚ軸センサ９３の出力をＺ（ｔ）と表す。ｔは１からはじまって１づつ増加する。ＣＰＵ４０は、地磁気センサ９０からの出力の変化をＸ（ｔ−１）−Ｘ（ｔ）、Ｙ（ｔ−１）−Ｙ（ｔ）、Ｚ（ｔ−１）−Ｚ（ｔ）によって算出し、ＲＡＭ６０に記憶する（ステップＳ１３）。ただし、ｔ＝１の場合はＸ（ｔ−１）、Ｙ（ｔ−１）、Ｚ（ｔ−１）の値が存在せず出力の変化が算出できないため、算出はｔ＝２から開始する。
【００１８】
上記の携帯電話機１の動かし方の例において、各センサの出力の変化は次のようになる。最初の状態では、ユーザの左が南、右が北となり、地磁気の磁界はＸ軸方向へ向かう。このときＸ軸センサ９１が出力する値が１０であったとする。Ｙ軸方向、Ｚ軸方向と地磁気の磁界の方向はそれぞれ９０度ずれており、これらの方向に向かう磁界の成分はないので、Ｙ軸センサ９２、Ｚ軸センサ９３が出力する値はともに０である。
【００１９】
携帯電話機１を動かすと、各センサの出力値は次のように変化する。Ｘ軸方向については、携帯電話機１が左に傾くに連れて地磁気の磁界の方向とＸ軸方向がずれていくので、Ｘ軸センサ９１が出力する値は１０からはじまって減少する。仮に５まで減少したとする。その後、ユーザが左に傾けた携帯電話機１をもとのように立てると、地磁気の磁界の方向とＸ軸方向のずれがもとに戻り一致するので、Ｘ軸センサ９１が出力する値は５から増加し最後に１０となる。
【００２０】
Ｙ軸方向については、携帯電話機１が左に傾いてからもとの位置に戻ってもＹ軸方向の磁界の成分はないので、Ｙ軸センサ９２が出力する値は動作の最初から最後までずっと０である。
Ｚ軸方向については、最初の状態では、地磁気の磁界の方向と９０度ずれているため、この方向に向かう磁界の成分はなかったが、携帯電話機１が左に傾くと、Ｚ軸方向も左に傾き、この方向の磁界の成分が生じる。ただし、この成分はＺ軸方向と反対の方向であるのでマイナスの値となり、Ｚ軸センサ９３の出力は０からはじまって減少する。仮に−５まで減少したとする。その後、ユーザが左に傾けた携帯電話機１をもとのように立てると、−５から増加して最後に０となる。
ステップＳ１２、ステップＳ１３が繰り返されると、上記のような各軸方向のセンサの出力値の時系列データが図１のＲＡＭ６０に記憶される。
【００２１】
次に、ユーザによって携帯電話機１の操作部１０のキャプチャストップボタンが押されたか判定される（ステップＳ１４）。キャプチャストップボタンが押されると、ステップＳ１４の判定が「Ｙｅｓ」となり、ステップＳ１５に進む。キャプチャストップボタンが押されなければ判定が「Ｎｏ」となり、ステップＳ１２に戻る。
ステップＳ１５において、検知モードを判定する。予め設定された検知モードが「方位モード」であった場合は判定結果が「Ｙｅｓ」となるのでステップＳ１６に進む。ここで、携帯電話機１の方位も含めて時系列データの特徴を抽出することによりモーションデータを生成する（ステップＳ１６）。
上記の携帯電話機１の動かし方の例においては、例えば、Ｘ軸センサ９１の出力値の時系列データについては７より大きいか小さいかだけを判別してモーションデータとし、Ｙ軸センサ９２の出力値の時系列データについてはずっと０であるモーションデータとし、Ｚ軸センサ９３の出力値の時系列データについては−３より大きいか小さいかだけを判別してモーションデータとする。
【００２２】
予め設定された検知モードが「傾きモード」であった場合は、ステップＳ１５において判定結果が「Ｎｏ」となるのでステップＳ１７に進む。ステップＳ１７の処理は後述する。
ステップＳ１６においてモーションデータが生成されると、ＣＰＵ４０は生成されたモーションデータをＲＡＭ６０のモーションメモリに記憶する（ステップＳ１８）。以上で図３のモーションキャプチャは終了する。
【００２３】
次に、記憶したモーションデータに対して実行すべき機能を割り当てる。ユーザは携帯電話機１の操作部１０を用いて割り当てる機能を指定する。例えば、オフフックボタンを押すことにより、携帯電話機１をオフフックする操作を割り当てる。そして、その割り当てられた情報が設定としてＲＡＭ６０に記憶される。
その他の機能の割り当て例として、図５の右にひと振りする動作に対して、携帯電話機１をオンフックする操作を割り当て、あるいは、図６の携帯電話機１を前後に１回振る動作に対して、携帯電話機１の電源をオフする操作を割り当ててもよい。
【００２４】
以上により、携帯電話機１の動きの時間的変化に対して実行すべき機能が割り当てられたので、次に、図４を参照し、携帯電話機１を動かして、割り当てられた機能が実行される流れを説明する。
上記でモーションキャプチャするときに検知モードは「方位モード」が選択されたので、ここで検知モードは変更しない。
まず、ユーザは携帯電話機１が向く方位を合わせる。ここでユーザは携帯電話機１を西に向ける。
次に、ユーザが携帯電話機１を動かすと図４の処理が開始される。ＣＰＵ４０は、予め設定された単位時間毎に地磁気センサ９０の出力を取り込む（ステップＳ２１）。次に、時系列での出力の変化をＲＡＭ６０に記憶する（ステップＳ２２）。これらの処理は、図３におけるステップＳ１２及びステップＳ１３と同様である。
【００２５】
次に、記憶された時系列データから、方位または傾きの特徴を抽出することによりモーションデータを生成する（ステップＳ２３）。ここでは「方位モード」が選択されているので方位も含めた特徴の抽出を行うが、その方法は図３のステップＳ１６と同様である。
次に、ここで生成されたモーションデータと、既に実行する機能が割り当てられＲＡＭ６０のモーションメモリに記憶されているモーションデータとを比較する（ステップＳ２４）。合致するか否かの判定は、例えば、予め設定された誤差範囲内で特徴が合致するか否か判定する。ステップＳ２５の判定結果が「Ｙｅｓ」の場合はステップＳ２６へ進み、合致したモーションデータに割り当てられた機能を実行する。ステップＳ２５の判定結果が「Ｎｏ」の場合は、ステップＳ２１から処理を繰り返す。
以上により、携帯電話機１を動かしてユーザが望む機能を実行することができる。
【００２６】
上記では、携帯電話機１の動きを検知する検知モードとして「方位モード」が選択された場合を説明したが、次に「傾きモード」が選択された場合を説明する。「傾きモード」を選択することにより、ユーザは携帯電話機１が向く方位を意識することなく、携帯電話機１の動かし方に対して割り当てられた機能を実行することができる。
まず、携帯電話機１の動かし方に対して実行すべき機能を割り当てる流れを説明する。
ここでは、ユーザは図５のように自分の正面に携帯電話機１を立てて持ち、左にひと振りする動作、つまり、携帯電話機１を左に傾けてからもとに戻す動作をモーションキャプチャし、この動作が行われたときに携帯電話機１をオフフックする操作を割り当てる場合を例に説明する。前述の「方位モード」の例では携帯電話機１を西に向けた上で上記の動作を行ったが、ここでは携帯電話機１を向ける方位は任意である点が異なる。
【００２７】
まず、ユーザは、検知モードとして「傾きモード」を選択し、次にモーションキャプチャを開始する。前述の「方位モード」の場合と異なり、携帯電話機１を向ける方位を合わせる必要はない。モーションデータを生成する図３の処理の流れの中で「方位モード」の場合と異なるのは、ステップＳ１５の判定結果が「Ｎｏ」となりステップＳ１７の処理を行う点であるので、この部分について説明する。
【００２８】
「傾きモード」においては、携帯電話機１が向く方位が異なっても携帯電話機１の動かし方が同じならば同じ機能が実行されるようにするため、ステップＳ１７では次のような処理を行う。まず、キャプチャスタートボタンを押してからキャプチャストップボタンが押されるまでに地磁気センサ９０から取り込まれ、ＲＡＭ６０に記憶された時系列データから、前述の「方位モード」の場合と同様に特徴を抽出してモーションデータを生成する。
さらに、ＲＡＭ６０に記憶された時系列データをもとにして、携帯電話機１が向く方位が異なる他の方位での時系列データを算出する。すなわち、時系列データを取得したときの方位と当該他の方位の角度の差が決まれば、その場合の磁界の各成分の値は算出できるので、その算出された時系列データの特徴を抽出してモーションデータを生成する。
これを各方位について行う。例えば、３６０度の方位のうち１０度づつ方位をずらして合計３６の方位のモーションデータを用意しておくため、地磁気センサ９０から取得した時系列データの他に３５の方位における時系列データを算出し、それぞれについて特徴を抽出したモーションデータを生成する。
ステップＳ１８において、このようにして生成されたモーションデータを１つのグループとして記憶する。このグループに対して、前述の「方位モード」の例と同様に、携帯電話機１をオフフックする操作を割り当てる。
【００２９】
次に、携帯電話機１を動かして割り当てられた機能が実行される流れを説明する。
上記でモーションキャプチャするときに検知モードは「傾きモード」が選択されたので、ここで検知モードは変更しない。
ユーザは、携帯電話機１を向ける方位を意識することなく、携帯電話機１を動かす。前述の「方位モード」の例では携帯電話機１を西に向けてから動かしたが、携帯電話機１を向ける方位は任意である点が異なる。
ユーザが携帯電話機１を動かしたときの図４の処理の流れの中で「方位モード」の場合と異なるのは、ステップＳ２５において、グループ化された各々のモーションデータと合致するか判定する点である。そして、「方位モード」と同様に、予め設定された誤差範囲内で特徴が合致するか否か判定すれば、値が厳密に一致するものが存在しなくても、同じモーションデータと合致すると判定される。判定が「Ｙｅｓ」となった場合は、割り当てられた機能が実行され、この例においては、携帯電話機１がオフフックされる。
【００３０】
「方位モード」と「傾きモード」を比較すると、「方位モード」は携帯電話機１を向ける方位を合わせる手間があるが、多様なモーションデータに対して実行すべき機能を割り当てることができる。また、「方位モード」は正しい方位で携帯電話機１を振る、傾ける等の動作を行わないと機能が実行されないため、他人に操作方法を知られにくくなり秘匿にもなる。
【００３１】
なお、ステップＳ２１からステップＳ２５の処理を繰り返すうちにＲＡＭ６０に記憶される時系列データが増加し続けるのを防止するため、例えば、一定個数の最新データのみＲＡＭ６０に記憶し、古いデータは消去して、最新の一定個数のデータについてステップＳ２３からステップＳ２５の処理を行ってもよい。
なお、単純な動作によりモーションデータをキャプチャした場合は、ユーザが意図しないときにモーションデータとして記憶された動作が検出され、割り当てられた機能が実行されてしまうことがないよう動作の検出を制限してもよい。例えば、特定のボタンを押し続けながら動作させたときのみ動作の検出を行う、または、携帯電話機１の着信音が鳴っているときなど特定の状況にあるときのみ動作の検出を行う。
【００３２】
なお、上記の実施形態は携帯電話機１について説明したが、各種の携帯端末機においても同様に構成することができる。また、上記の実施形態では地磁気センサを使用してモーションデータを取得したが、傾きまたは方位を検知できるセンサであれば他の種類のセンサ（ジャイロ、加速度センサ等）であってもよい。
【産業上の利用可能性】
【００３３】
この発明は、携帯電話機、ＰＤＡ等の携帯端末機に用いられる。
【図面の簡単な説明】
【００３４】
【図１】この発明の実施形態による携帯電話機１の構成を示す図である。
【図２】図１における地磁気センサ９０の構成を示す図である。
【図３】モーションデータを取得する処理の流れを示すフローチャートである。
【図４】モーションデータに対して割り当てられた機能を実行する処理の流れを示すフローチャートである。
【図５】携帯電話機１の動かし方の例を示す図である。
【図６】携帯電話機１の別の動かし方の例を示す図である。
【符号の説明】
【００３５】
１…携帯電話機、１０…操作部、２０…通信部、２１…アンテナ、３０…音声処理部、３１…マイク、３２…通話用スピーカ、４０…ＣＰＵ、５０…ＲＯＭ、６０…ＲＡＭ、７０…表示部、８０…音源、８１…スピーカ、９０…地磁気センサ、９１…Ｘ軸センサ、９２…Ｙ軸センサ、９３…Ｚ軸センサ、９４…切換器、９５…増幅器、９６…Ａ／Ｄ変換器、９７…インターフェース部、１００…バスライン
【図１】
2006128789.tif 000003
【図２】
2006128789.tif 000004
【図３】
2006128789.tif 000005
【図４】
2006128789.tif 000006
【図５】
2006128789.tif 000007
【図６】
2006128789.tif 000008